(57)【要約】【課題】人間の指紋跡と同等の指紋跡が作製でき、耐指紋性の評価試薬として好適な人工指紋液などの提供。【解決手段】油分と、水と、前記油分に対して５質量％〜４６質量％の界面活性剤とを含有し、油中水滴型エマルションである人工指紋液である。【選択図】図２
2016150951.tif 000002
【特許請求の範囲】
【請求項１】
油分と、水と、前記油分に対して５質量％〜４６質量％の界面活性剤とを含有し、油中水滴型エマルションであることを特徴とする人工指紋液。
【請求項２】
前記油分が、高級脂肪酸及びその誘導体、並びにテルペン類のいずれかである請求項１に記載の人工指紋液。
【請求項３】
前記油分が、トリオレイン及びスクアレンのいずれかである請求項１から２のいずれかに記載の人工指紋液。
【請求項４】
前記界面活性剤が、直鎖アルキルベンゼンスルホン酸ナトリウムである請求項１から３のいずれかに記載の人工指紋液。
【請求項５】
更に、粉体を含有する請求項１から４のいずれかに記載の人工指紋液。
【請求項６】
前記粉体が、関東ローム（ＪＩＳ試験用粉体１）である請求項５に記載の人工指紋液。
【請求項７】
基材上に、請求項１から６のいずれかに記載の人工指紋液を塗布し、前記基材上に前記人工指紋液の液膜を形成する工程と、
前記液膜に、指紋を模した転写面を有するゴムを押し当てて、前記転写面に前記人工指紋液を転写する工程と、
前記人工指紋液が付着した前記転写面を、評価基材の表面に押し当てて、前記評価基材に人工指紋跡を形成する工程と、
前記人工指紋跡を拭き取る工程と、
を含むことを特徴とする耐指紋性の評価方法。
【請求項８】
前記指紋を模した転写面が、多重同心円状の凹凸を有する請求項７に記載の耐指紋性の評価方法。
【発明の詳細な説明】
【技術分野】
【０００１】
本件は、指紋付着性、又は指紋除去性の評価に用いる人工指紋液、及び前記人工指紋液を用いた耐指紋性の評価方法に関する。
【背景技術】
【０００２】
ディスプレイ又は筐体表面にガラスが用いられている、携帯端末、ノートパソコン等の機器には、各種汚染物質による汚染、及び指紋の付着が起こる。これらは、好ましいことではない。そのため、通常、防汚性の改善、指紋付着性の減少、及び指紋除去性の向上のために、ガラス表面には、表面処理が施される。
【０００３】
表面処理によって指紋汚れが改善されたかどうかを評価する方法には、ガラス表面に本物の指紋を押し当て、指紋跡の付着性及び拭き取り性を目視で評価する方法が用いられることが多い。
しかし、本物の指紋を用いるこのような評価方法は、個人や環境に強く依存するため、定量性及び再現性に欠ける。
このような実情から、ガラス表面の良否を定量的に再現性良く評価するための人工指紋液の開発が望まれている。
【０００４】
人工指紋液に関しては、光学記録媒体に対する防汚性の評価用の人工指紋液が提案されている（例えば、特許文献１参照）。
【先行技術文献】
【特許文献】
【０００５】
【特許文献１】特開２００４−３５８２４号公報
【発明の概要】
【発明が解決しようとする課題】
【０００６】
しかし、特許文献１に記載の人工指紋液では、形成される指紋跡が人間の指紋跡とは明らかに異なる。そのため、指紋付着性、指紋除去性等の耐指紋性の評価において、前記人工指紋液を用いた指紋跡の評価結果と、人間の指紋跡の結果とが必ずしも一致しないという問題がある。
【０００７】
本件は、従来における前記諸問題を解決し、以下の目的を達成することを課題とする。即ち、本件は、人間の指紋跡と同等の指紋跡が作製でき、耐指紋性の評価試薬として好適な人工指紋液、並びに、定量性、及び再現性に優れる耐指紋性の評価方法を提供することを目的とする。
【課題を解決するための手段】
【０００８】
開示の人工指紋液は、油分と、水と、前記油分に対して５質量％〜４６質量％の界面活性剤とを含有し、油中水滴型エマルションである。
【０００９】
開示の耐指紋性の評価方法は、
基材上に、開示の前記人工指紋液を塗布し、前記基材上に前記人工指紋液の液膜を形成する工程と、
前記液膜に、指紋を模した転写面を有するゴムを押し当てて、前記転写面に前記人工指紋液を転写する工程と、
前記人工指紋液が付着した前記転写面を、評価基材の表面に押し当てて、前記評価基材に人工指紋跡を形成する工程と、
前記人工指紋跡を拭き取る工程と、
を含む。
【発明の効果】
【００１０】
開示の人工指紋液によると、従来における前記諸問題を解決し、前記目的を達成することができ、人間の指紋跡と同等の指紋跡が作製でき、耐指紋性の評価試薬として好適な人工指紋液を提供できる。
開示の耐指紋性の評価方法によると、従来における前記諸問題を解決し、前記目的を達成することができ、定量性、及び再現性に優れる耐指紋性の評価方法を提供できる。
【図面の簡単な説明】
【００１１】
【図１】図１は、多重同心円状の凹凸を有する転写面の概略図である。
【図２】図２は、耐指紋性の評価方法の一例のフローチャートである。
【図３】図３は、実施例における人工指紋跡の写真である。
【発明を実施するための形態】
【００１２】
（人工指紋液）
開示の人工指紋液は、油分と、水と、界面活性剤とを少なくとも含有し、好ましくは粉体を含有し、更に必要に応じて、その他の成分を含有する。
【００１３】
前記人工指紋液は、油中水滴型エマルションである。前記油中水滴型エマルションとは、油相が連続相となり、その中に水滴が分散しているエマルションである。
【００１４】
＜油分＞
前記油分としては、特に制限はなく、目的に応じて適宜選択することができるが、人間の指紋により形成される指紋跡の成分に近い点で、高級脂肪酸及びその誘導体、並びにテルペン類のいずれかであることが好ましい。
【００１５】
前記高級脂肪酸の炭素数としては、１０〜２５が好ましく、１５〜２０がより好ましい。
前記高級脂肪酸の誘導体としては、例えば、高級脂肪酸エステルなどが挙げられる。前記高級脂肪酸の誘導体における脂肪酸部位の炭素数としては、１０〜２５が好ましく、１５〜２０がより好ましい。
【００１６】
前記高級脂肪酸としては、例えば、ラウリン酸、ミリスチン酸、パルミチン酸、ステアリン酸、アラキドン酸、ベヘン酸、イソステアリン酸、オレイン酸、２−パルミトレイン酸、ペトロセリン酸、エライジン酸、リシノール酸、リノール酸、リノエライジン酸、リノレン酸などが挙げられる。
前記高級脂肪酸エステルとしては、例えば、高級脂肪酸のジグリセリド、高級脂肪酸のトリグリセリドなどが挙げられる。前記トリグリセリドとしては、人間の指紋により形成される指紋跡の成分に近い点で、トリオレインが好ましい。
これらは、１種単独で使用してもよいし、２種以上を併用してもよい。
【００１７】
前記テルペン類とは、Ｃ５Ｈ８の分子式で表されるイソプレンユニットを構成単位に有する化合物の総称であり、テルペノイドともいう。前記テルペン類は、通常、天然物である。前記テルペン類は、例えば、植物の脂質、動物の脂質などから抽出される。
【００１８】
前記テルペン類としては、例えば、スクアレン、リモネン、α-ピネン、β-ピネン、カンフェン、テルピネオール、カジネン、カレン、γ−テルピネン、ｄ−リモネン、ジピンテン、ターピノーレン、β−フエランドレン、ピ口ネン、カンフエン、ミルセンなどが挙げられる。これらの中でも、人間の指紋により形成される指紋跡の成分に近い点で、スクアレンが好ましい。
これらは、１種単独で使用してもよいし、２種以上を併用してもよい。
【００１９】
前記人工指紋液における前記油分の含有量としては、油中水滴型エマルションを形成できるかぎり、特に制限はなく、目的に応じて適宜選択することができる。
【００２０】
＜水＞
前記水としては、特に制限はなく、目的に応じて適宜選択することができ、例えば、脱イオン水、上水、純水などが挙げられる。
【００２１】
前記人工指紋液における前記水の含有量としては、油中水滴型エマルションを形成できるかぎり、特に制限はなく、目的に応じて適宜選択することができる。
【００２２】
＜界面活性剤＞
前記界面活性剤としては、前記油分と前記水とを含有する液をエマルションにできる限り、特に制限はなく、目的に応じて適宜選択することができる。前記界面活性剤は、乳化剤とも呼ばれる。
【００２３】
前記界面活性剤としては、アニオン系界面活性剤、カチオン系界面活性剤、ノニオン系界面活性剤などが挙げられる。
【００２４】
前記アニオン系界面活性剤としては、例えば、親水基としてカルボン酸、スルホン酸、又はリン酸構造を有する界面活性剤などが挙げられる。そのような界面活性剤としては、例えば、直鎖アルキルベンゼンスルホン酸ナトリウム、ラウリン酸ナトリウム、ドデシル硫酸ナトリウムなどが挙げられる。これらの中でも、人間の指紋により形成される指紋跡の成分に近い点で、直鎖アルキルベンゼンスルホン酸ナトリウムが好ましい。なお、界面活性剤は、ヘアケア製品、ボディケア製品などに含まれているため、人間の指紋により形成される指紋跡から検出される。
【００２５】
前記カチオン系界面活性剤としては、例えば、四級アンモニウム塩などが挙げられる。前記四級アンモニウム塩としては、例えば、アルキルトリメチルアンモニウム塩、ジアルキルジメチルアンモニウム塩、アルキルベンジルジメチルアンモニウム塩などが挙げられる。
【００２６】
前記ノニオン系界面活性剤としては、例えば、ポリオキシエチレンアルキルエーテル、ポリオキシエチレンアルキルアリルエーテル、ポリオキシエチレングリコール、ポリオキシプロピレングリコール、ポリオキシエチレン・ポリオキシプロピレンブロックコポリマー、ソルビタン脂肪酸エステル、ポリオキシエチレンソルビタン脂肪酸エステルなどが挙げられる。
前記ポリオキシエチレンアルキルエーテルとしては、例えば、ポリオキシエチレンラウリルエーテル、ポリオキシエチレンステアリルエーテル、ポリオキシエチレンセチルエーテル、ポリオキシエチレンオレイルエーテルなどが挙げられる。
前記ポリオキシエチレンアルキルアリルエーテルとしては、例えば、ポリオキシエチレンオクチルフェノールエーテル、ポリオキシエチレンノニルフェノールエーテルなどが挙げられる。
前記ソルビタン脂肪酸エステルとしては、例えば、ソルビタンモノラウレート、ソルビタンモノパルミテート、ソルビタンモノステアレート、ソルビタンモノオレエート、ソルビタントリオレエート、ソルビタントリステアレートなどが挙げられる。
前記ポリオキシエチレンソルビタン脂肪酸エステルとしては、例えば、ポリオキシエチレンソルビタンモノラウレート、ポリオキシエチレンソルビタンモノパルミテート、ポリオキシエチレンソルビタンモノステアレート、ポリオキシエチレンソルビタントリオレエート、ポリオキシエチレンソルビタントリステアレートなどが挙げられる。
【００２７】
これらの界面活性剤は、１種単独で使用してもよいし、２種以上を併用してもよい。
【００２８】
前記人工指紋液における前記界面活性剤の含有量は、前記油分に対して５質量％〜４６質量％である。前記含有量が、５質量％未満であると、前記人工指紋液における水滴の量が少なく、人間の指紋跡と同等の指紋跡が作製できない。前記含有量が、４６質量％を超えると、油中水滴型エマルションが作製できず、その結果、人間の指紋跡と同等の指紋跡が作製できない。
【００２９】
＜その他の成分＞
前記その他の成分としては、特に制限はなく、目的に応じて適宜選択することができるが、粉体が好ましい。なお、粉体があってもよく、なくてもよい。
【００３０】
＜＜粉体＞＞
人間の指紋により形成される指紋跡は、液体と固体である油分に加えて、固体成分を含有する。そのため、人間の指紋により形成される指紋跡の成分に近い点で、前記人工指紋液は、粉体を含有することが好ましい。
また、前記人工指紋液が、前記粉体を含有することで、粘度の調整、及び評価基材への付着性の調整が行いやすくなる。
なお、人間の指紋により形成される指紋跡における固体成分の大半はケラチンと呼ばれるタンパク質であるが、前記人工指紋液においては、ケラチン以外の粉体でも、ケラチンの代替となる。
【００３１】
前記粉体としては、例えば、関東ローム（ＪＩＳ試験用粉体１）、シリカ微粒子、酸化チタン微粒子、アルミナ微粒子、酸化鉄微粒子、ケラチン微粒子、キチン微粒子、キトサン微粒子、アクリル系微粒子、スチレン系微粒子、ジビニルベンゼン系微粒子、ポリアミド系微粒子、ポリイミド系微粒子、ポリウレタン系微粒子、メラミン系微粒子、ゼオライトなどが挙げられる。
これらは、１種単独で使用してもよいし、２種以上を併用してもよい。
【００３２】
前記粉体の平均粒径としては、特に制限はなく、目的に応じて適宜選択することができるが、１００μｍ以下が好ましく、５０μｍ以下がより好ましい。また、前記粉体の平均粒径は、０．０５μｍ以上が好ましく、０．５μｍ以上がより好ましい。前記平均粒径は、例えば、レーザ回折式粒度分布測定装置を用いて測定できる。
そのような前記粉体としては、例えば、ＪＩＳ  Ｚ８９０１試験用粉体１及び２、ＩＳＯ試験粉体１２１０３−１、（社）日本粉体工業技術協会（ＡＰＰＩＥ）標準粉体などが挙げられる。このような試験用粉体は、粒径が揃っており、粒度分布が安定しており、かつ比較的安価に入手できることから、前記粉体として好ましい。ＪＩＳ  Ｚ８９０１試験用粉体１の中でも好ましいものとして、関東ロームが挙げられる。
【００３３】
前記人工指紋液における前記粉体の含有量としては、特に制限はなく、目的に応じて適宜選択することができるが、前記油分に対して、適度な粘度にできる点で、５０質量％〜４００質量％が好ましく、１００質量％〜３００質量％がより好ましく、１５０質量％〜２５０質量％が特に好ましい。
【００３４】
前記人工指紋液は、油中水滴型エマルションであり、液の流動性が低下しているため、評価基材上に前記人工指紋液を付着させた際に、凝集が生じにくく、定着性がよい。そのため、前記人工指紋液による指紋跡は、人間の指紋跡と同等のものが得られる。その結果、前記人工指紋液を用いることで、耐指紋性の評価を、再現性良く、かつ定量的に行うことができる。
【００３５】
（耐指紋性の評価方法）
開示の耐指紋性の評価方法は、液膜形成工程と、転写工程と、人工指紋跡形成工程と、拭き取り工程とを少なくとも含み、更に必要に応じて、その他の工程を含む。
【００３６】
＜液膜形成工程＞
前記液膜形成工程としては、基材上に、開示の人工指紋液を塗布し、前記基材上に前記人工指紋液の液膜を形成する工程であれば、特に制限はなく、目的に応じて適宜選択することができる。
【００３７】
前記基材としては、特に制限はなく、目的に応じて適宜選択することができ、プラスチック基材、ガラス基材、金属基材などが挙げられる。これらのなかでも、ガラス基材が、前記人工指紋液の拭き取り性と人間の指紋跡の拭き取り性との差がより出にくい点で好ましい。
【００３８】
前記基材上に、前記人工指紋液を塗布する方法としては、特に制限はなく、目的に応じて適宜選択することができ、例えば、滴下、浸漬、スプレー塗布などが挙げられる。
【００３９】
前記液膜の厚みとしては、特に制限はなく、目的に応じて適宜選択することができる。
【００４０】
＜転写工程＞
前記転写工程としては、前記液膜に、指紋を模した転写面を有するゴムを押し当てて、前記転写面に前記人工指紋液を転写する工程であれば、特に制限はなく、目的に応じて適宜選択することができる。前記ゴムは、人間の指に似た弾性を有するため、前記耐指紋性の評価方法において前記人工指紋跡を作製するための部材として、好適である。
【００４１】
前記ゴムとしては、特に制限はなく、目的に応じて適宜選択することができ、例えば、シリコーンゴム、ブタジエンゴムなどが挙げられる。
【００４２】
前記転写面は、指紋を模した形状を有する。前記転写面の形状としては、指紋を模した形状であれば、特に制限はなく、目的に応じて適宜選択することができるが、多重同心円状の凹凸であることが、耐指紋性の評価における定量性、及び再現性がより高くなる点で好ましい。
多重同心円状の凹凸としては、例えば、図１に示すような形状が挙げられる。
【００４３】
また、前記ゴムとして、ＪＩＳ  Ｋ２２４６−２００７で規定される人工指紋液プリント用のゴム栓を用いてもよい。即ち、Ｎｏ．１０のゴム栓の小さい円面（直径約２６ｍｍ）を、ＪＩＳ  Ｒ６２５１又はＪＩＳ  Ｒ６２５２に規定するＡＡ２４０の研磨材又はそれと同等性能を有する研磨材で擦って粗面化したものを用いてもよい。
【００４４】
現実の指紋に近い寸法とするためには、前記ゴムとしては、転写面の直径が８ｍｍ〜２５ｍｍのゴムを用いることが好ましく、転写面の直径が８ｍｍ〜２０ｍｍのゴムを用いることがより好ましい。
【００４５】
前記液膜に、前記ゴムを押し当てる際の圧力としては、特に制限はなく、目的に応じて適宜選択することができ、例えば、１．０Ｎ〜２．０Ｎなどが挙げられる。
【００４６】
＜人工指紋跡形成工程＞
前記人工指紋跡形成工程としては、前記人工指紋液が付着した前記転写面を、評価基材の表面に押し当てて、前記評価基材に人工指紋跡を形成する工程であれば、特に制限はなく、目的に応じて適宜選択することができる。
【００４７】
前記評価基材としては、特に制限はなく、目的に応じて適宜選択することができ、例えば、プラスチック基材、ガラス基材、金属基材などが挙げられる。前記人工指紋液は、ガラスへの定着性が特に良いが、他の基材でも評価基材とすることができる。
前記評価基材の表面は、表面処理がされていてもよい。前記表面処理としては、例えば、防汚処理、防曇処理などが挙げられる。
【００４８】
前記転写面を、前記評価基材の表面に押し当てる際の圧力としては、特に制限はなく、目的に応じて適宜選択することができ、例えば、１．０Ｎ〜２．０Ｎなどが挙げられる。
【００４９】
＜拭き取り工程＞
前記拭き取り工程としては、前記人工指紋跡を拭き取る工程であれば、特に制限はなく、目的に応じて適宜選択することができる。
【００５０】
拭き取りは、前記人工指紋跡を拭き取るための拭き取り材として、例えば、布、紙などを用いて行うことができる。前記布としては、例えば、織布、不織布などが挙げられる。前記紙としては、例えば、キムワイプ（日本製紙クレシア製）などが挙げられる。
【００５１】
前記拭き取り工程においては、予め決めた拭き取り方法に従って拭き取りを行うことが好ましい。予め決めた拭き取り方法としては、例えば、前記評価基材上の前記人工指紋跡に対して、前記拭き取り材を一定圧力で押し当てつつ一定方向に動かして拭き取る方法などが挙げられる。
【００５２】
前記拭き取り工程においては、例えば、前記人工指紋跡を拭き取る際の拭き回数を数えることで、その評価基材における耐指紋性を評価できる。
【００５３】
前記耐指紋性の評価方法を行う際は、予め、複数の人間の指紋跡の拭き取りを行い、統計的に有意な結果として得られる拭き回数を求めておき、前記拭き取り工程における拭き回数と対比してもよい。そうすることで、人間の指紋跡の拭き取り性との相関関係も確認することができる。
【００５４】
前記耐指紋性の評価方法を行うことで、評価基材の耐指紋性を評価することができる。
前記耐指紋性の評価方法は、ガラス等の基材の防汚表面処理の研究開発において、前記防汚表面処理の耐指紋性の評価に好適に用いることができる。
【００５５】
ここで、前記耐指紋性の評価方法の一例をフローチャートを用いて説明する。
図２は、耐指紋性の評価方法の一例のフローチャートである。
まず、液膜形成工程を行う。この工程では、基材上に、開示の前記人工指紋液を塗布し、前記基材上に前記人工指紋液の液膜を形成する。
続いて、転写工程を行う。この工程では、前記液膜に、指紋を模した転写面を有するゴムを押し当てて、前記転写面に前記人工指紋液を転写する。
続いて、人工指紋跡形成工程を行う。この工程では、前記人工指紋液が付着した前記転写面を、評価基材の表面に押し当てて、前記評価基材に人工指紋跡を形成する。
続いて、拭き取り工程を行う。この工程では、前記人工指紋跡を拭き取る。この際に、拭き回数を数えておく。そして、その拭き回数によって、前記評価基材の耐指紋性の評価結果を導き出す。
【実施例】
【００５６】
以下、開示の技術の実施例について説明するが、開示の技術は下記実施例に何ら限定されるものではない。
【００５７】
（実施例１）
＜人工指紋液の調製＞
トリオレイン（和光純薬工業株式会社製）、６５質量％ドデシルベンゼンスルホン酸ナトリウム（ＤＢＳ）水溶液（花王株式会社製）、及び関東ローム１１種（ＪＩＳ  Ｚ  ８９０１、日本粉体工業技術協会製）を、トリオレイン：６５質量％ドデシルベンゼンスルホン酸ナトリウム水溶液：関東ローム１１種＝１．０：０．０８：２．０（質量比）で混合し、油中水滴型エマルションである人工指紋液を得た。
【００５８】
（実施例２）
＜人工指紋液の調製＞
トリオレイン（和光純薬工業株式会社製）、６５質量％ドデシルベンゼンスルホン酸ナトリウム水溶液（花王株式会社製）、及び関東ローム１１種（ＪＩＳ  Ｚ  ８９０１、日本粉体工業技術協会製）を、トリオレイン：６５質量％ドデシルベンゼンスルホン酸ナトリウム水溶液：関東ローム１１種＝１．０：０．３：２．０（質量比）で混合し、油中水滴型エマルションである人工指紋液を得た。
【００５９】
（実施例３）
＜人工指紋液の調製＞
トリオレイン（和光純薬工業株式会社製）、６５質量％ドデシルベンゼンスルホン酸ナトリウム水溶液（花王株式会社製）、及び関東ローム１１種（ＪＩＳ  Ｚ  ８９０１、日本粉体工業技術協会製）を、トリオレイン：６５質量％ドデシルベンゼンスルホン酸ナトリウム水溶液：関東ローム１１種＝１．０：０．７：２．０（質量比）で混合し、油中水滴型エマルションである人工指紋液を得た。
【００６０】
（実施例４）
＜人工指紋液の調製＞
スクアレン（和光純薬工業株式会社製）、６５質量％ドデシルベンゼンスルホン酸ナトリウム水溶液（花王株式会社製）、及び関東ローム１１種（ＪＩＳ  Ｚ  ８９０１、日本粉体工業技術協会製）を、スクアレン：６５質量％ドデシルベンゼンスルホン酸ナトリウム水溶液：関東ローム１１種＝１．０：０．７：２．０（質量比）で混合し、油中水滴型エマルションである人工指紋液を得た。
【００６１】
（比較例１）
＜人工指紋液の調製＞
トリオレイン（和光純薬工業株式会社製）、及び関東ローム１１種（ＪＩＳ  Ｚ  ８９０１、日本粉体工業技術協会製）を、トリオレイン：関東ローム１１種＝１．０：２．０（質量比）で混合し、人工指紋液を得た。
【００６２】
（比較例２）
＜人工指紋液の調製＞
トリオレイン（和光純薬工業株式会社製）、６５質量％ドデシルベンゼンスルホン酸ナトリウム水溶液（花王株式会社製）、及び関東ローム１１種（ＪＩＳ  Ｚ  ８９０１、日本粉体工業技術協会製）を、トリオレイン：６５質量％ドデシルベンゼンスルホン酸ナトリウム水溶液：関東ローム１１種＝１．０：０．０５：２．０（質量比）で混合し、油中水滴型エマルションである人工指紋液を得た。
【００６３】
（比較例３）
＜人工指紋液の調製＞
トリオレイン（和光純薬工業株式会社製）、６５質量％ドデシルベンゼンスルホン酸ナトリウム水溶液（花王株式会社製）、及び関東ローム１１種（ＪＩＳ  Ｚ  ８９０１、日本粉体工業技術協会製）を、トリオレイン：６５質量％ドデシルベンゼンスルホン酸ナトリウム水溶液：関東ローム１１種＝１．０：１．０：２．０（質量比）で混合し、人工指紋液を得た。
【００６４】
［人工指紋跡の作製］
上記で作製した各人工指紋液をガラス基板上に均一に塗布し、液膜を得た。続いて、図１に示すような多重同心円状の凹凸を施した直径１．５ｃｍの円状の転写面を有するシリコーンゴム（信越化学工業株式会社製）の転写材を、前記ガラス基板上の前記液膜に１．５Ｎの力で押し付け、前記液膜を前記転写面に転写した。続いて、前記転写材の前記転写面を別のガラス基板上へ１．５Ｎの力で押し付け、人工指紋跡を作製した。なお、前記人工指紋跡が形成された前記ガラス基板には、防汚表面処理は行われていない。
【００６５】
＜人工指紋跡の付着性＞
前記ガラス基板上に作製された前記人工指紋跡について、（１）ガラスが人工指紋跡を弾いていないか、及び（２）転写材の多重同心円状跡が明瞭であるか、を目視で評価した。以下の評価基準で評価した。結果を表１に示した。また、図３に、写真を示した。
〔評価基準〕
○：ガラスが人工指紋跡を弾いておらず、かつ転写材の多重同心円状跡が明瞭である。
×：ガラスが人工指紋跡を弾いている、及び、転写材の多重同心円状跡が不明瞭である、の少なくともいずれかに該当する。
【００６６】
＜人工指紋跡の除去性＞
前記ガラス基板上に作製された前記人工指紋跡に対して５つ折りにしたキムワイプに荷重２５０ｇ／ｃｍ２を付加しながら手前から奥へ向け５０ｍｍ拭く動作を１回の動作とし、その動作を前記人工指紋跡が拭き取られるまで繰り返した。この際に要した拭き回数を、人間の指紋跡の拭き回数である９回と比較し、以下の評価基準で評価した。結果を表１に示した。
〔評価基準〕
○：拭き回数が７回〜１０回
△：拭き回数が４回〜６回
×：拭き回数が１回〜３回
なお、本評価の基準となる、人間の指紋跡の拭き回数としての９回は、複数の人間の指紋跡の拭き取りを行い、統計的に有意な結果として得られた拭き回数から決定した。
【００６７】
【表１】
2016150951.tif 000003
表１中の配合量の単位は、特に記載のない場合は、質量部である。
・比較例２の界面活性剤（ＤＢＳ）量（対油分：質量％）
＝１００（％）×０．０５×０．６５／１．０＝３
・実施例１の界面活性剤（ＤＢＳ）量（対油分：質量％）
＝１００（％）×０．０８×０．６５／１．０＝５
・実施例２の界面活性剤（ＤＢＳ）量（対油分：質量％）
＝１００（％）×０．３×０．６５／１．０＝２０
・実施例３の界面活性剤（ＤＢＳ）量（対油分：質量％）
＝１００（％）×０．７×０．６５／１．０＝４６
・実施例４の界面活性剤（ＤＢＳ）量（対油分：質量％）
＝１００（％）×０．７×０．６５／１．０＝４６
・比較例３の界面活性剤（ＤＢＳ）量（対油分：質量％）
＝１００（％）×１．０×０．６５／１．０＝６５
【００６８】
実施例１〜４では、形成された人工指紋跡が、人間の指紋跡と同等であった。
一方、比較例１〜３では、形成された人工指紋跡が、部分的又は全面的に凝集し液滴を形成しており、人間の指紋跡とは異なっていた。
【００６９】
実施例１〜４では、拭き回数が、基準となる拭き回数と同等であった。
一方、比較例１〜３では、拭き回数が、基準となる拭き回数から離れていた。
【００７０】
以上の実施形態に関し、更に以下の付記を開示する。
（付記１）  油分と、水と、前記油分に対して５質量％〜４６質量％の界面活性剤とを含有し、油中水滴型エマルションであることを特徴とする人工指紋液。
（付記２）  前記油分が、高級脂肪酸及びその誘導体、並びにテルペン類のいずれかである付記１に記載の人工指紋液。
（付記３）  前記油分が、トリオレイン及びスクアレンのいずれかである付記１から２のいずれかに記載の人工指紋液。
（付記４）  前記界面活性剤が、直鎖アルキルベンゼンスルホン酸ナトリウムである付記１から３のいずれかに記載の人工指紋液。
（付記５）  更に、粉体を含有する付記１から４のいずれかに記載の人工指紋液。
（付記６）  前記粉体が、関東ローム（ＪＩＳ試験用粉体１）である付記５に記載の人工指紋液。
（付記７）  基材上に、付記１から６のいずれかに記載の人工指紋液を塗布し、前記基材上に前記人工指紋液の液膜を形成する工程と、
前記液膜に、指紋を模した転写面を有するゴムを押し当てて、前記転写面に前記人工指紋液を転写する工程と、
前記人工指紋液が付着した前記転写面を、評価基材の表面に押し当てて、前記評価基材に人工指紋跡を形成する工程と、
前記人工指紋跡を拭き取る工程と、
を含むことを特徴とする耐指紋性の評価方法。
（付記８）  前記指紋を模した転写面が、多重同心円状の凹凸を有する付記７に記載の耐指紋性の評価方法。
【図３】
2016150951.tif 000004
【図１】
2016150951.tif 000005
【図２】
2016150951.tif 000006